(57)【要約】【課題】視聴者に視聴覚的な違和感を与えることなく、表示部を回転させて使用することが可能な表示装置を提供すること。【解決手段】第２の筐体は、第１のコネクタを有し、第１の筐体は、当該第１の筐体の長辺部に設けられ、前記第１の筐体が縦長となる姿勢で当該第１の筐体が使用されるとき、当該長辺部の中心、または、当該長辺部における中心から左右いずれか一方の方向に配置され、第１のコネクタと接続される第２のコネクタと、当該第１の筐体の短辺部に設けられ、前記第１の筐体が縦長となる姿勢で当該第１の筐体が使用されるとき、第２のコネクタが長辺部の中心に配置される場合には、当該短辺部の中心に配置され、第２のコネクタが一方の方向に配置される場合には、当該短辺部における一方の方向と同方向に配置され、第１のコネクタと接続される第３のコネクタとを有する。【選択図】図２
2019219539.tif 000002
【特許請求の範囲】
【請求項１】
表示部を有する長方形状の第１の筐体と、
入力装置および出力装置の少なくともいずれか一方を有し、前記第１の筐体に接続可能な第２の筐体と
を備えた表示装置であって、
前記第２の筐体は、
第１のコネクタを有し、
前記第１の筐体は、
当該第１の筐体の長辺部に設けられ、前記第１の筐体が横長となる姿勢で当該第１の筐体が使用されるとき、当該長辺部の中心、または、当該長辺部における中心から左右いずれか一方の方向に配置され、前記第１のコネクタと接続される第２のコネクタと、
当該第１の筐体の短辺部に設けられ、前記第１の筐体が縦長となる姿勢で当該第１の筐体が使用されるとき、前記第２のコネクタが前記長辺部の中心に配置される場合には、当該短辺部の中心に配置され、前記第２のコネクタが前記一方の方向に配置される場合には、当該短辺部における前記一方の方向と同方向に配置され、前記第１のコネクタと接続される第３のコネクタと
を有することを特徴とする表示装置。
【請求項２】
前記第１のコネクタに前記第２のコネクタおよび前記第３のコネクタのいずれが接続されたかを判定する判定部と、
前記判定部によって前記第１のコネクタに前記第２のコネクタが接続されたと判定された場合、前記第１の筐体が横長となる姿勢で前記第１の筐体が使用されるときに対応する表示に、前記表示部の表示を切り替え、前記判定部によって前記第１のコネクタに前記第３のコネクタが接続されたと判定された場合、前記第１の筐体が縦長となる姿勢で前記第１の筐体が使用されるときに対応する表示に、前記表示部の表示を切り替える切替部と
をさらに備えることを特徴とする請求項１に記載の表示装置。
【請求項３】
前記判定部は、
前記第１のコネクタに前記第２のコネクタされたときに発生する第１の信号、および、  前記第１のコネクタに前記第３のコネクタされたときに発生する第２の信号のいずれが供給されたかにより、前記第１のコネクタに前記第２のコネクタおよび前記第３のコネクタのいずれが接続されたかを判定する
ことを特徴とする請求項２に記載の表示装置。
【請求項４】
前記第２のコネクタおよび前記第３のコネクタは、前記第１のコネクタに対する活線挿抜可能な構成を有する
ことを特徴とする請求項１から３のいずれか一項に記載の表示装置。
【請求項５】
前記第１のコネクタに前記第２のコネクタまたは前記第３のコネクタが接続され、前記第１の筐体から前記第２の筐体へ電源が供給されたとき、前記第１の筐体と前記第２の筐体との間の信号路を有効化する有効化手段
をさらに備えることを特徴とする請求項４に記載の表示装置。
【請求項６】
表示部を有する長方形状の第１の筐体と、
入力装置および出力装置の少なくともいずれか一方を有し、前記第１の筐体に接続可能な第２の筐体と
を備えた表示装置であって、
前記第２の筐体は、
第１のコネクタを有し、
前記第１の筐体は、
当該第１の筐体の短辺部に設けられ、前記第１の筐体が縦長となる姿勢で当該第１の筐体が使用されるとき、当該短辺部の中心、または、当該短辺部における中心から上下いずれか一方の方向に配置され、前記第１のコネクタと接続される第２のコネクタと、
当該第１の筐体の長辺部に設けられ、前記第１の筐体が縦長となる姿勢で当該第１の筐体が使用されるとき、前記第２のコネクタが前記短辺部の中心に配置される場合には、当該長辺部の中心に配置され、前記第２のコネクタが前記一方の方向に配置される場合には、当該長辺部における前記一方の方向と同方向に配置され、前記第１のコネクタと接続される第３のコネクタと
を有することを特徴とする表示装置。
【発明の詳細な説明】
【技術分野】
【０００１】
本発明は、表示装置に関する。
【背景技術】
【０００２】
特許文献１には、長方形状の表示部を、横長の長方形状となるように表示部が支持された第１の姿勢、または縦長の長方形状となるように表示部が支持された第２の姿勢に回転させることが可能な電子黒板が開示されている。また、特許文献２には、液晶ディスプレイの下部に取り付けることが可能なスピーカ装置が開示されている。
【発明の概要】
【発明が解決しようとする課題】
【０００３】
しかしながら、特許文献１の技術と特許文献２の技術とを組み合わせて、上記第１の姿勢の表示部の下部に、左右方向を長手方向とするスピーカ装置を装着可能な構成を採用した場合、表示部を上記第２の姿勢に回転させてしまうと、表示部とともにスピーカ装置も回転するため、スピーカ装置が表示部の側部において上下方向を長手方向とする姿勢で取り付けられた状態となる。この場合、スピーカ装置の見た目、音声の出力位置、音声の出力方向が変化するため、視聴者に対して視覚的および聴覚的な違和感を与えてしまう虞がある。
【０００４】
本発明は、上述した従来技術の課題を解決するため、視聴者に視聴覚的な違和感を与えることなく、表示部を回転させて使用することが可能な表示装置を提供することを目的とする。
【課題を解決するための手段】
【０００５】
上述した課題を解決するために、本発明の表示装置は、表示部を有する長方形状の第１の筐体と、入力装置および出力装置の少なくともいずれか一方を有し、第１の筐体に接続可能な第２の筐体とを備えた表示装置であって、第２の筐体は、第１のコネクタを有し、第１の筐体は、当該第１の筐体の長辺部に設けられ、第１の筐体が横長となる姿勢で当該第１の筐体が使用されるとき、当該長辺部の中心、または、当該長辺部における中心から左右いずれか一方の方向に配置され、第１のコネクタと接続される第２のコネクタと、当該第１の筐体の短辺部に設けられ、第１の筐体が縦長となる姿勢で当該第１の筐体が使用されるとき、第２のコネクタが長辺部の中心に配置される場合には、当該短辺部の中心に配置され、第２のコネクタが一方の方向に配置される場合には、当該短辺部における一方の方向と同方向に配置され、第１のコネクタと接続される第３のコネクタとを有する。
【発明の効果】
【０００６】
本発明によれば、視聴者に視聴覚的な違和感を与えることなく、表示部を回転させて使用することが可能な表示装置を提供することができる。
【図面の簡単な説明】
【０００７】
【図１】本発明の一実施形態に係るＩＷＢの外観を示す図である。
【図２】本発明の一実施形態に係るＩＷＢの使用形態を示す図である。
【図３】本発明の一実施形態に係るＩＷＢのハードウェア構成を示す図である。
【図４】本発明の一実施形態に係るＩＷＢにおける接続インタフェースの回路構成を示す図である。
【図５】本発明の一実施形態に係るＩＷＢの機能構成を示す図である。
【図６】本発明の一実施形態に係るＩＷＢによる処理の手順を示すフローチャートである。
【図７】本発明の一実施形態に係るＩＷＢにおけるＧＰＩＯ信号検出のための回路構成を示す図である。
【発明を実施するための形態】
【０００８】
〔一実施形態〕
以下、図面を参照して、本発明の一実施形態について説明する。
【０００９】
（ＩＷＢ１００の概要）
図１は、本発明の一実施形態に係るＩＷＢ（Interactive White Board）１００の外観を示す図である。図１（ａ）は、ＩＷＢ１００の前面側を表しており、図１（ｂ）は、ＩＷＢ１００の背面側を表している。ＩＷＢ１００は、「表示装置」の一例である。
【００１０】
図１に示すＩＷＢ１００は、テレビ会議が行われる各拠点に設置され、テレビ会議の参加者によって使用される通信端末である。例えば、ＩＷＢ１００は、インターネット、イントラネット、ＬＡＮ（Local Area Network）等のネットワークを介して、他のＩＷＢ１００とテレビ会議システムを構成する。
【００１１】
ＩＷＢ１００は、テレビ会議の参加者から入力された各種データ（例えば、映像データ、音声データ、描画データ等）を、ネットワークを介して、他のＩＷＢ１００へ送信することができる。また、ＩＷＢ１００は、他のＩＷＢ１００から送信されてきた各種データを、データの種類に応じた出力方法（例えば、表示、音声出力等）によって出力することにより、テレビ会議の参加者へ呈示することができる。
【００１２】
図１に示すように、ＩＷＢ１００は、本体１００Ａと、メディアボックス１００Ｂとを備えている。本体１００Ａは、長方形状の筐体（第１の筐体）を有している。メディアボックス１００Ｂは、長方形状の筐体（第２の筐体）を有しており、本体１００Ａに対して着脱自在である。メディアボックス１００Ｂは、本体１００Ａに接続されることにより、本体１００Ａから電源が供給されて、利用可能となる。
【００１３】
本体１００Ａには、前面にタッチパネル・ディスプレイ１０１が設けられており、背面にコントローラボックス１０２が設けられている。一方、メディアボックス１００Ｂには、前面にカメラ１０３、マイク１０４、スピーカ１０５、および電源ボタン１０６が設けられている。
【００１４】
タッチパネル・ディスプレイ１０１は、ディスプレイとタッチパネルとを備えた装置である。タッチパネル・ディスプレイ１０１は、ディスプレイにより、各種情報（例えば、映像データ、描画データ等）を表示することができる。また、タッチパネル・ディスプレイ１０１は、タッチパネルにより、操作体（例えば、指、ペン等）の接触操作による、各種情報（例えば、文字、図形、画像等）の入力を行うことができる。ディスプレイとしては、例えば、液晶ディスプレイ、有機ＥＬディスプレイ、電子ペーパー等を用いることができる。タッチパネルとしては、例えば、静電容量方式のタッチパネルを用いることができる。
【００１５】
コントローラボックス１０２は、ＩＷＢ１００の各種制御を行う。例えば、コントローラボックス１０２は、ＩＷＢ１００が備える各種ハードウェアの制御、ＩＷＢ１００が備えるテレビ会議に関する各種機能の実行制御等を行う。また、コントローラボックス１０２は、メディアボックス１００Ｂが接続されることにより、メディアボックス１００Ｂに設けられた各ハードウェアの制御を行うことができる。
【００１６】
カメラ１０３は、ＩＷＢ１００の前方の映像を撮像する。カメラ１０３は、例えば、レンズと、イメージセンサと、ＤＳＰ（Digital Signal Processor）等の映像処理回路とを備えて構成されている。イメージセンサは、レンズによって集光された光を光電変換することにより、映像データ（ＲＡＷデータ）を生成する。イメージセンサとしては、例えば、ＣＣＤ（Charge Coupled Device）、ＣＭＯＳ（Complementary Metal Oxide Semiconductor）等が用いられる。映像処理回路は、イメージセンサによって生成された映像データ（ＲＡＷデータ）に対して、ベイヤー変換、３Ａ制御（ＡＥ（自動露出制御）、ＡＦ（オートフォーカス）、およびＡＷＢ（オートホワイトバランス））等の一般的な映像処理を行うことにより、映像データ（ＹＵＶデータ）を生成する。そして、映像処理回路は、生成された映像データ（ＹＵＶデータ）を出力する。ＹＵＶデータは、色情報を、輝度信号（Ｙ）と、輝度信号と青色成分との差（Ｕ）と、輝度信号と赤色成分との差（Ｖ）との組み合わせで表したものである。
【００１７】
マイク１０４は、ＩＷＢ１００の前方の音声を集音し、当該音声に対応する音声データ（アナログデータ）を生成した後、当該音声データ（アナログデータ）をアナログ−デジタル変換することによって、集音された音声に対応する音声データ（デジタルデータ）を出力する。
【００１８】
スピーカ１０５は、音声データ（アナログデータ）によって駆動されることにより、当該音声データに対応する音声を出力する。例えば、スピーカ１０５は、他拠点のＩＷＢ１００から送信された音声データによって駆動されることにより、他拠点のＩＷＢ１００において集音された音声を出力する。
【００１９】
電源ボタン１０６は、ＩＷＢ１００の電源のオン−オフの切り替えを行うために、ユーザによって押下操作されるボタンである。
【００２０】
このように構成されたＩＷＢ１００は、カメラ１０３によって取得された映像データ、タッチパネル・ディスプレイ１０１によって取得された描画データ、および、マイク１０４によって取得された音声データを、ネットワークを介して他のＩＷＢ１００へ送信することにより、これらのデータを他のＩＷＢ１００と共有することができる。また、ＩＷＢ１００は、他のＩＷＢ１００から送信された映像データおよび描画データに基づく表示内容を、タッチパネル・ディスプレイ１０１によって表示するとともに、他のＩＷＢ１００から送信された音声データに基づく音声を、スピーカ１０５によって音声出力することにより、これらの情報を他のＩＷＢ１００と共有することができる。
【００２１】
（ＩＷＢ１００の使用形態）
図２は、本発明の一実施形態に係るＩＷＢ１００の使用形態を示す図である。図２（ａ）は、本体１００Ａを横長の長方形状となる姿勢（以下、「第１の姿勢」と示す）にした状態のＩＷＢ１００を示しており、図２（ｂ）は、本体１００Ａを９０°回転させて縦長の長方形状となる姿勢（以下、「第２の姿勢」と示す）にした状態のＩＷＢ１００を示している。図２に示すように、ＩＷＢ１００は、本体１００Ａを第１の姿勢および第２の姿勢のいずれの状態とした場合であっても、本体１００Ａの中心線ＣＬ１と、メディアボックス１００Ｂの中心線ＣＬ２とを一致させた状態で、本体１００Ａの下側に横長の長方形状となる姿勢のメディアボックス１００Ｂを接続することができるようになっている。
【００２２】
具体的には、メディアボックス１００Ｂは、本体１００Ａが接続される側の長辺部である上辺部にコネクタ１２１が設けられている。一方、本体１００Ａは、図２（ａ）に示すように第１の姿勢にしたときにメディアボックス１００Ｂが接続される側の長辺部に、コネクタ１２１と接続可能なコネクタ１２２Ａが設けられている。また、本体１００Ａは、図２（ｂ）に示すように第２の姿勢にしたときにメディアボックス１００Ｂが接続される側の短辺部に、コネクタ１２１と接続可能なコネクタ１２２Ｂが設けられている。
【００２３】
これにより、図２（ａ）に示すように、本体１００Ａを第１の姿勢にしたとき、本体１００Ａのコネクタ１２２Ａが、メディアボックス１００Ｂのコネクタ１２１と対向し、コネクタ１２２Ａとコネクタ１２１とを互いに接続することができる。この際、コネクタ１２２Ａの中心線ＣＬ１からのオフセット量およびオフセット方向は、コネクタ１２１の中心線ＣＬ２からのオフセット量およびオフセット方向と同じであるため、中心線ＣＬ１と中心線ＣＬ２とを一致させた状態で、コネクタ１２２Ａとコネクタ１２１とを互いに対向させて接続することができる。
【００２４】
また、図２（ｂ）に示すように、本体１００Ａを第２の姿勢にしたとき、本体１００Ａのコネクタ１２２Ｂが、メディアボックス１００Ｂのコネクタ１２１と対向し、コネクタ１２２Ｂとコネクタ１２１とを互いに接続することができる。この際、コネクタ１２２Ｂの中心線ＣＬ１からのオフセット量およびオフセット方向は、コネクタ１２１の中心線ＣＬ２からのオフセット量およびオフセット方向と同じであるため、中心線ＣＬ１と中心線ＣＬ２とを一致させた状態で、コネクタ１２２Ｂとコネクタ１２１とを互いに対向させて接続することができる。
【００２５】
なお、本体１００Ａは、図２（ａ）に示すように、コネクタ１２２Ａにメディアボックス１００Ｂが接続された場合、タッチパネル・ディスプレイ１０１を表示画面の水平方向と垂直方向とが第１の姿勢に対応する表示に切り替えることができるようになっている。また、本体１００Ａは、図２（ｂ）に示すように、コネクタ１２２Ｂにメディアボックス１００Ｂが接続された場合、タッチパネル・ディスプレイ１０１を表示画面の水平方向と垂直方向とが第２の姿勢に対応する表示に切り替えることができるようになっている。
【００２６】
（ＩＷＢ１００のハードウェア構成）
図３は、本発明の一実施形態に係るＩＷＢ１００のハードウェア構成を示す図である。図３に示すように、ＩＷＢ１００は、図１で説明したタッチパネル・ディスプレイ１０１、コントローラボックス１０２、カメラ１０３、マイク１０４、スピーカ１０５、および電源ボタン１０６を備えている。コントローラボックス１０２は、ＣＰＵ（Central Processing Unit）１１１、補助記憶装置１１２、メモリ１１３、通信Ｉ／Ｆ（Inter Face）１１４、および操作部１１５を有する。
【００２７】
ＣＰＵ１１１は、補助記憶装置１１２またはメモリ１１３に記憶されている各種プログラムを実行することにより、ＩＷＢ１００の各種制御を行う。
【００２８】
例えば、ＣＰＵ１１１は、カメラ１０３から取得した映像データ、タッチパネル・ディスプレイ１０１から取得した描画データ、および、マイク１０４から取得した音声データを、符号化した後、通信Ｉ／Ｆ１１４を介して、他のＩＷＢ１００へ送信する。
【００２９】
また、例えば、ＣＰＵ１１１は、他のＩＷＢ１００から送信された映像データ、描画データ、および音声データを、通信Ｉ／Ｆ１１４を介して取得して復号化する。そして、ＣＰＵ１１１は、復号化された映像データ、描画データ、および音声データに基づいて、映像や描画内容をタッチパネル・ディスプレイ１０１に表示させるとともに、音声をスピーカ１０５から音声出力させる。
【００３０】
なお、ＣＰＵ１１１によって使用される符号化方式および復号化方式としては、例えば、Ｈ.２６４/ＡＶＣ、Ｈ.２６４/ＳＶＣ、Ｈ.２６５等が挙げられる。
【００３１】
補助記憶装置１１２は、ＣＰＵ１１１により実行される各種プログラム、ＣＰＵ１１１が各種プログラムを実行するために必要なデータ等を記憶する。補助記憶装置１１２としては、例えば、フラッシュメモリ、ＨＤＤ（Hard Disk Drive）等の、不揮発性の記憶装置が用いられる。
【００３２】
メモリ１１３は、ＣＰＵ１１１が各種プログラムを実行する際に利用する一時記憶領域として機能する。メモリ１１３としては、例えば、ＤＲＡＭ（Dynamic Random Access Memory）、ＳＲＡＭ（Static Random Access Memory）等の、揮発性の記憶装置が用いられる。
【００３３】
通信Ｉ／Ｆ１１４は、ネットワークに接続し、ネットワークを介して他のＩＷＢ１００との間で各種データの送受信を行うためのインタフェースである。通信Ｉ／Ｆ１１４としては、例えば、１０Ｂａｓｅ−Ｔ，１００Ｂａｓｅ−ＴＸ，１０００Ｂａｓｅ−Ｔ等に対応した有線ＬＡＮインタフェース、ＩＥＥＥ８０２．１１ａ／ｂ／ｇ／ｎ等に対応した無線ＬＡＮインタフェース等、を用いることができる。
【００３４】
操作部１１５は、各種入力を行うためにユーザによって操作される。操作部１１５としては、例えば、ボタン、キーボード、マウス、スイッチ等が用いられる。
【００３５】
（接続インタフェースの回路構成）
図４は、本発明の一実施形態に係るＩＷＢ１００における接続インタフェースの回路構成を示す図である。図４に示すように、本体１００Ａは、コントローラボード２１０、ＵＳＢボード２２０、ＵＳＢボード２３０を備える。
【００３６】
コントローラボード２１０は、ＳｏＣ（System on Chip）２１１、ＵＳＢハブ２１２、電源回路２１３、コネクタ２１４、およびコネクタ２１５を備える。また、コントローラボード２１０は、ＳｏＣ２１１とコネクタ２１４とを接続するシリアル信号用の信号線と、ＳｏＣ２１１とコネクタ２１５とを接続するシリアル信号用の信号線とを備える。また、コントローラボード２１０は、電源回路２１３とコネクタ２１４とを接続する電源供給用の電源線と、電源回路２１３とコネクタ２１５とを接続する電源供給用の電源線とを備える。
【００３７】
ＵＳＢボード２２０は、コントローラボード２１０とケーブルで接続されるコネクタ２２１と、メディアボックス１００Ｂのコネクタ１２１と接続されるコネクタ１２２Ａとを備える。
【００３８】
ＵＳＢボード２３０は、コントローラボード２１０とケーブルで接続されるコネクタ２３１と、メディアボックス１００Ｂのコネクタ１２１と接続されるコネクタ１２２Ｂとを備える。
【００３９】
一方、メディアボックス１００Ｂは、ＵＳＢボード２４０を備える。ＵＳＢボード２４０は、本体１００Ａのコネクタ１２２Ａまたはコネクタ１２２Ｂと接続されるコネクタ１２１を備える。また、ＵＳＢボード２４０は、シリアル信号送受信回路２４１、ＵＳＢハブ２４２、およびリセットＩＣ２４３を備える。
【００４０】
コネクタ１２１，１２２Ａ，１２２Ｂの各々は、電源端子、グランド端子、送信用シリアル信号端子、および、受信用シリアル信号端子を有する。電源端子は、本体１００Ａ側の電源線に接続される、電源供給用の端子である。グランド端子は、本体１００Ａ側のグランド線に接続される、グランド接地用の端子である。送信用シリアル信号端子は、本体１００Ａ側の送信用シリアル信号線に接続される、本体１００Ａからメディアボックス１００Ｂへシリアル信号を送信するための端子である。受信用シリアル信号端子は、本体１００Ａ側の受信用シリアル信号線に接続される、メディアボックス１００Ｂから本体１００Ａへシリアル信号を送信するための端子である。これにより、本体１００Ａ側のコネクタ１２２Ａ，１２２Ｂと、メディアボックス１００Ｂ側のコネクタ１２１とが接続されることにより、本体１００Ａとメディアボックス１００Ｂとの間で、電力供給およびシリアル信号の送受信が可能となる。
【００４１】
ここで、コネクタ１２２Ａ，１２２Ｂは、コネクタ１２１に対する活線挿抜が可能となっている。すなわち、本体１００Ａは、破壊や誤動作を生じさせることなく、電源オン状態のまま、第１の姿勢または第２の姿勢に回転させて、メディアボックス１００Ｂに接続することが可能である。
【００４２】
具体的には、コネクタ１２２Ａ，１２２Ｂは、電源端子およびグランド端子が、シリアル信号端子よりも先に接続される構造を有する。本構造は、例えば、電源端子およびグランド端子の長さを、シリアル信号端子よりも長くすることにより、実現可能である。
【００４３】
これにより、コネクタ１２２Ａ，１２２Ｂは、コネクタ１２１に接続する際には、電源端子およびグランド端子が接続された後に、シリアル信号端子が接続され、コネクタ１２１から取り外す際には、シリアル信号端子が切断された後に、電源端子およびグランド端子が切断される。
【００４４】
加えて、ＵＳＢボード２２０は、シリアル信号線上に、３ステートバッファ２２２Ａ，２２２Ｂが設けられており、同様に、ＵＳＢボード２３０は、シリアル信号線上に、３ステートバッファ２３２Ａ，２３２Ｂが設けられている。
【００４５】
これにより、ＵＳＢボード２２０，２３０は、メディアボックス１００Ｂに接続される際に、メディアボックス１００Ｂの電源電圧が確定するまで、３ステートバッファ２２２Ａ，２２２Ｂまたは３ステートバッファ２３２Ａ，２３２Ｂの出力をハイインピーダンスにすることで、メディアボックス１００Ｂとの間でシリアル信号の送受信がなされないようになっている。
【００４６】
本実施形態では、ＵＳＢボード２４０にオープンドレイン出力を有するリセットＩＣ２４３を設け、リセットＩＣ２４３の出力信号を、各３ステートバッファのイネーブル信号として入力することで、各３ステートバッファがシリアル信号を送受信できるようにすることができる。
【００４７】
リセットＩＣ２４３は、「有効化手段」の一例であり、コントローラボード２１０からＵＳＢボード２４０に供給される電源によって動作することで、ＵＳＢボード２４０が接続されたときのみ、イネーブル信号を出力することで、各３ステートバッファがシリアル信号を送受信できるように制御することができる。
【００４８】
一方、ＵＳＢボード２４０が接続されていないときには、オープンドレイン出力のプルダウンにより、３ステートバッファをディセーブルにすることで、各３ステートバッファがシリアル信号を送受信できないように制御することができる。
【００４９】
なお、上記対応以外にも、活線挿抜による過電圧印可の防止、ラッチアップの防止、突入電流の防止、静電気・サージの防止等のため、ダイオードやフィルタ、デカップリングコンデンサ、バリスタ等の素子も適用され得る。
【００５０】
（ＩＷＢ１００の機能構成）
図５は、本発明の一実施形態に係るＩＷＢ１００の機能構成を示す図である。図５に示すように、ＩＷＢ１００は、検出部５０１、判定部５０２、および切替部５０３を備える。
【００５１】
検出部５０１は、ＳｏＣ２１１のＧＰＩＯピンの状態を検出する。具体的には、検出部５０１は、ＳｏＣ２１１のＧＰＩＯ１ピンおよびＧＰＩＯ２ピンの各々について、「Ｈｉｇｈ」であるか「Ｌｏｗ」であるかを検出する。
【００５２】
判定部５０２は、検出部５０１による検出結果に応じて、コネクタ１２１にコネクタ１２２Ａおよびコネクタ１２２Ｂのいずれが接続されたかを判定する。具体的には、判定部５０２は、ＳｏＣ２１１のＧＰＩＯ１ピンが「Ｈｉｇｈ」であり、且つ、ＳｏＣ２１１のＧＰＩＯ２ピンが「Ｌｏｗ」であることが検出された場合、「コネクタ１２１にコネクタ１２２Ｂが接続されている」と判定する。一方、判定部５０２は、ＳｏＣ２１１のＧＰＩＯ１ピンが「Ｌｏｗ」であり、且つ、ＳｏＣ２１１のＧＰＩＯ２ピンが「Ｈｉｇｈ」であることが検出された場合、「コネクタ１２１にコネクタ１２２Ａが接続されている」と判定する。
【００５３】
切替部５０３は、判定部５０２による判定結果に応じて、タッチパネル・ディスプレイ１０１の表示モードを切り替える。具体的には、切替部５０３は、判定部５０２によって「コネクタ１２１にコネクタ１２２Ａが接続されている」と判定された場合、タッチパネル・ディスプレイ１０１の表示モードを第１の姿勢に対応する表示モードである「第１の表示モード」に切り替える。また、切替部５０３は、判定部５０２によって「コネクタ１２１にコネクタ１２２Ｂが接続されている」と判定された場合、タッチパネル・ディスプレイ１０１の表示モードを第２の姿勢に対応する表示モードである「第２の表示モード」に切り替える。
【００５４】
上記したＩＷＢ１００の各機能は、例えば、ＩＷＢ１００において、補助記憶装置１１２に記憶されたプログラムを、ＣＰＵ１１１が実行することにより実現される。このプログラムは、予めＩＷＢ１００に導入された状態で提供されてもよく、外部から提供されてＩＷＢ１００に導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバからダウンロードすることによって提供されるようにしてもよい。
【００５５】
（ＩＷＢ１００による処理の手順）
図６は、本発明の一実施形態に係るＩＷＢ１００による処理の手順を示すフローチャートである。
【００５６】
まず、本体１００Ａの回転がなされると（ステップＳ６０１）、検出部５０１が、ＳｏＣ２１１のＧＰＩＯ１ピンおよびＧＰＩＯ２ピンの各々について、「Ｈｉｇｈ」であるか「Ｌｏｗ」であるかを検出する（ステップＳ６０２）。
【００５７】
次に、判定部５０２が、ステップＳ６０２で検出されたＧＰＩＯ１ピンの状態が「Ｈｉｇｈ」であるか否かを判断する（ステップＳ６０３）。
【００５８】
ステップＳ６０３において、ＧＰＩＯ１ピンの状態が「Ｈｉｇｈ」であると判断された場合（ステップＳ６０３：Ｙｅｓ）、判定部５０２は、ステップＳ６０２で検出されたＧＰＩＯ２ピンの状態が「Ｈｉｇｈ」であるか否かを判断する（ステップＳ６０４）。
【００５９】
ステップＳ６０４において、ＧＰＩＯ２ピンの状態が「Ｈｉｇｈ」であると判断された場合（ステップＳ６０４：Ｙｅｓ）、すなわち、コネクタ１２２Ａ，１２２Ｂが両方とも接続されている状態であるから、判定部５０２は、「エラー」と判定する（ステップＳ６０５）。そして、ＩＷＢ１００は、図６に示す一連の処理を終了する。
【００６０】
一方、ステップＳ６０４において、ＧＰＩＯ２ピンの状態が「Ｈｉｇｈ」ではないと判断された場合（ステップＳ６０４：Ｎｏ）、判定部５０２は、「コネクタ１２１にコネクタ１２２Ｂ（第３のコネクタ）が接続されている」と判定する（ステップＳ６０６）。そして、切替部５０３が、タッチパネル・ディスプレイ１０１の表示モードを「第２の表示モード」に切り替える（ステップＳ６０７）。その後、ＩＷＢ１００は、図６に示す一連の処理を終了する。
【００６１】
ステップＳ６０３において、ＧＰＩＯ１ピンの状態が「Ｈｉｇｈ」ではないと判断された場合（ステップＳ６０３：Ｎｏ）、判定部５０２は、ステップＳ６０２で検出されたＧＰＩＯ２ピンの状態が「Ｈｉｇｈ」であるか否かを判断する（ステップＳ６０８）。
【００６２】
ステップＳ６０８において、ＧＰＩＯ２ピンの状態が「Ｈｉｇｈ」であると判断された場合（ステップＳ６０８：Ｙｅｓ）、判定部５０２は、「コネクタ１２１にコネクタ１２２Ａ（第２のコネクタ）が接続されている」と判定する（ステップＳ６０９）。そして、切替部５０３が、タッチパネル・ディスプレイ１０１の表示モードを「第１の表示モード」に切り替える（ステップＳ６１０）。その後、ＩＷＢ１００は、図６に示す一連の処理を終了する。
【００６３】
一方、ステップＳ６０８において、ＧＰＩＯ２ピンの状態が「Ｈｉｇｈ」ではないと判断された場合（ステップＳ６０８：Ｎｏ）、すなわち、コネクタ１２２Ａ，１２２Ｂが両方とも接続されていない状態であるから、判定部５０２は、「現在の状態を維持する」と判定する（ステップＳ６１１）。そして、ＩＷＢ１００は、図６に示す一連の処理を終了する。
【００６４】
図６の処理により、ＩＷＢ１００は、本体１００Ａが第１の姿勢に回転され、コネクタ１２１にコネクタ１２２Ａが接続されると、タッチパネル・ディスプレイ１０１の表示モードが自動的に「第１の表示モード」に切り替わる。反対に、ＩＷＢ１００は、本体１００Ａが第２の姿勢に回転され、コネクタ１２１にコネクタ１２２Ｂが接続されると、タッチパネル・ディスプレイ１０１の表示モードが自動的に「第２の表示モード」に切り替わる。
【００６５】
（ＧＰＩＯ信号検出のための回路構成）
図７は、本発明の一実施形態に係るＩＷＢ１００におけるＧＰＩＯ信号検出のための回路構成を示す図である。
【００６６】
図７に示すように、ＵＳＢボード２３０のコネクタ１２２Ｂにコネクタ１２１が接続された場合、コントローラボード２１０からリセットＩＣ２４３へ＋３．３Ｖの電源が供給される。そして、リセットＩＣ２４３において＋３．３Ｖの電圧が安定すると、リセットＩＣ２４３は、リセット解除してオープンドレイン出力する。リセットＩＣ２４３からの出力信号は、３ステートバッファ２３２Ａにイネーブル信号として入力される。一方、３ステートバッファ２３２Ａの入力端子には、＋３．３Ｖのプルアップ信号が入力されており、３ステートバッファ２３２Ａのイネーブル端子がオンになることで、３ステートバッファ２３２Ａの出力端子からＨｉｇｈが出力される。これにより、ＧＰＩＯ１信号（第１の信号）がＨｉｇｈとなり、ＳｏＣ２１１のＧＰＩＯ１ピンにてＨｉｇｈを検出することができる。
【００６７】
なお、ＵＳＢボード２２０は、ＵＳＢボード２３０と同様の回路構成を有する。このため、ＵＳＢボード２３０のコネクタ１２２Ａにコネクタ１２１が接続された場合、リセットＩＣ２４３からの出力信号は、ＵＳＢボード２２０の３ステートバッファ２２２Ａにイネーブル信号として入力され、３ステートバッファ２２２Ａのイネーブル端子がオンになることで、３ステートバッファ２２２Ａの出力端子からＨｉｇｈが出力される。これにより、ＧＰＩＯ２信号（第２の信号）がＨｉｇｈとなり、ＳｏＣ２１１のＧＰＩＯ２ピンにてＨｉｇｈを検出することができる。
【００６８】
なお、コネクタ１２１にコネクタ１２２Ａ，１２２Ｂのいずれも接続されていない場合、本体１００Ａの向きの切り替え中であるため、タッチパネル・ディスプレイ１０１は、現在の表示モードを維持する。また、ＳｏＣ２１１は、ポーリングによりＧＰＩＯピンの状態検出処理を常時行うことができる。
【００６９】
以上説明したように、本実施形態のＩＷＢ１００は、本体１００Ａの長辺部に、本体１００Ａが第１の姿勢で使用されるとき、メディアボックス１００Ｂのコネクタ１２１（第１のコネクタ）と対向し、コネクタ１２１と接続されるコネクタ１２２Ａ（第２のコネクタ）を有し、本体１００Ａの短辺部に、本体１００Ａが第２の姿勢で使用されるとき、コネクタ１２１と対向し、コネクタ１２１と接続されるコネクタ１２２Ｂ（第３のコネクタ）を有する。これにより、本実施形態のＩＷＢ１００は、メディアボックス１００Ｂの位置および姿勢を変更することなく、本体１００Ａを第１の姿勢または第２の姿勢へ回転させて、本体１００Ａとメディアボックス１００Ｂを接続することができる。すなわち、本実施形態のＩＷＢ１００は、本体１００Ａが第１の姿勢および第２の姿勢のいずれの状態であっても、本体１００Ａの下部にメディアボックス１００Ｂを一定の姿勢で接続することができる。このため、本実施形態のＩＷＢ１００によれば、メディアボックス１００Ｂの見た目、各入出力装置（カメラ１０３、マイク１０４、およびスピーカ１０５）の位置および向きが変化しないため、視聴者に視聴覚的な違和感を与えることなく、本体１００Ａを第１の姿勢または第２の姿勢に回転させて使用することができる。
【００７０】
特に、本実施形態のＩＷＢ１００は、コネクタ１２２Ａおよびコネクタ１２２Ｂが、コネクタ１２１に対する活線挿抜可能な構成を有しており、さらに、コネクタ１２１にコネクタ１２２Ａまたはコネクタ１２２Ｂが接続され、本体１００Ａからメディアボックス１００Ｂへ電源が供給されたとき、本体１００Ａとメディアボックス１００Ｂとの間の信号路を有効化するリセットＩＣ２４３（有効化手段）を有する。これにより、本実施形態のＩＷＢ１００は、電源オンのまま、破壊や誤動作を生じさせることなく、本体１００Ａを第１の姿勢または第２の姿勢に回転させて、本体１００Ａにメディアボックス１００Ｂを接続することができる。したがって、本実施形態のＩＷＢ１００によれば、製品の取扱容易性および信頼性を高めることができる。
【００７１】
以上、本発明の好ましい実施形態について詳述したが、本発明はこれらの実施形態に限定されるものではなく、特許請求の範囲に記載された本発明の要旨の範囲内において、種々の変形又は変更が可能である。
【００７２】
例えば、上記実施形態では、「表示装置」の一例としてＩＷＢ１００（電子黒板）を用いているが、これに限らない。本発明は、表示部を回転させて使用することが可能な様々な表示装置（例えば、パーソナルコンピュータ、スマートフォン、タブレット端末等）に適用可能である。
【００７３】
また、例えば、上記実施形態では、本体１００Ａを第１の姿勢および第２の姿勢のいずれで使用する場合であっても、本体１００Ａの下部にメディアボックス１００Ｂを一定の姿勢で接続可能な構成としているが、これに限らない。例えば、本体１００Ａを第１の姿勢および第２の姿勢のいずれで使用する場合であっても、本体１００Ａの上部または側部に、メディアボックス１００Ｂを一定の姿勢（例えば、上部に接続する場合には、横長の長方形状となる姿勢、側部に接続する場合には、縦長の長方形状となる姿勢）で接続可能な構成としてもよい。
【００７４】
また、例えば、上記実施形態では、「第２の筐体」の一例として、カメラ１０３、マイク１０４、およびスピーカ１０５を備えたメディアボックス１００Ｂを用いているが、これに限らない。「第２の筐体」は、入力装置（例えば、カメラ、マイク等）および出力装置（例えば、スピーカ、ディスプレイ等）の少なくともいずれか一方を有するものであれば、如何なるものであってもよい。
【００７５】
また、例えば、上記実施形態では、コネクタ１２１とコネクタ１２２Ａ，１２２Ｂとを、互いに直接的に接続する構成としているが、これに限らない。例えば、コネクタ１２１とコネクタ１２２Ａ，１２２Ｂとを、ケーブルで接続する構成としてもよい。この場合、本体１００Ａを第１の姿勢および第２の姿勢のいずれで使用する場合であっても、接続されるコネクタ間の距離は変わらないため、一定の長さのケーブルを用いることができ、且つ、ケーブルの取り回しなどの変更は不要である。
【００７６】
また、例えば、上記実施形態では、コネクタ１２１を中心線ＣＬ２からオフセットさせ、コネクタ１２２Ａ，１２２Ｂを中心線ＣＬ１からオフセットさせているが、これに限らない。すなわち、コネクタ１２１を中心線ＣＬ２上に配置し、コネクタ１２２Ａ，１２２Ｂを中心線ＣＬ１上に配置してもよい。
【００７７】
また、例えば、上記実施形態では、ＧＰＩＯ信号によって本体１００Ａの向きを判定する構成としているが、これに限らない。例えば、ジャイロセンサ等を用いて、本体１００Ａの向きを判定する構成としてもよい。
【符号の説明】
【００７８】
１００  ＩＷＢ（表示装置）
１００Ａ  本体部（第１の筐体）
１００Ｂ  メディアボックス（第２の筐体）
１０１  タッチパネル・ディスプレイ（表示部）
１０２  コントローラボックス
１０３  カメラ
１０４  マイク
１０５  スピーカ
１２１  コネクタ（第１のコネクタ）
１２２Ａ  コネクタ（第２のコネクタ）
１２２Ｂ  コネクタ（第３のコネクタ）
２４３  リセットＩＣ（有効化手段）
５０１  検出部
５０２  判定部
５０３  切替部
【先行技術文献】
【特許文献】
【００７９】
【特許文献１】特開２００１−０８０２８８号公報
【特許文献２】特開２００９−２８４１５７号公報
【図１】
2019219539.tif 000003
【図２】
2019219539.tif 000004
【図３】
2019219539.tif 000005
【図４】
2019219539.tif 000006
【図５】
2019219539.tif 000007
【図６】
2019219539.tif 000008
【図７】
2019219539.tif 000009